(57)【特許請求の範囲】
【請求項１】
磁石アーマチャ（ＭＡ）であって、
・第１剛性ｋ１を有する第１バネ部材（Ｆ１）と、
・第２剛性ｋ２を有する第２バネ部材（Ｆ２）と、
・静止位置（ＲＰ）と、終端位置（ＥＰ）と、前記静止位置（ＲＰ）と前記終端位置（ＥＰ）との間にある中間位置（ＭＰ）とを具備し、
・前記第１バネ部材（Ｆ１）は、前記静止位置（ＲＰ）から前記中間位置（ＭＰ）への移行時には弾性変形するが、前記中間位置（ＭＰ）から前記終端位置（ＥＰ）への移行時には弾性変形しないように設けられていて、
・前記第２バネ部材（Ｆ２）は、前記中間位置（ＭＰ）から前記終端位置（ＥＰ）への移行時には弾性変形するが、前記静止位置（ＲＰ）から前記中間位置（ＭＰ）への移行時には弾性変形しないように設けられており、
前記第２バネ部材（Ｆ２）は、前記終端位置（ＥＰ）にあるとき前記磁石アーマチャ（ＭＡ）に対して復元力を生成する、磁石アーマチャ（ＭＡ）。
【請求項２】
前記第１バネ部材（Ｆ１）と前記第２バネ部材（Ｆ２）とは直列で配置されている、請求項１に記載の磁石アーマチャ。
【請求項３】
さらに、前記第１バネ部材（Ｆ１）と前記第２バネ部材（Ｆ２）との間に、ブッシュ（Ｂ）を具備する、請求項２に記載の磁石アーマチャ。
【請求項４】
・さらに、前記第１バネ部材（Ｆ１）と、前記ブッシュ（Ｂ）と、前記第２バネ部材（Ｆ２）とが同軸で取り囲む円筒形状部分（ＺＡ）を具備し、
・前記ブッシュ（Ｂ）の方向を向く前記第１バネ部材（Ｆ１）の端部は、前記静止位置（ＲＰ）から前記中間位置（ＭＰ）への移行時には、前記円筒形状部分（ＺＡ）に対して相対的に移動するが、前記中間位置（ＭＰ）から前記終端位置（ＥＰ）への移行時には、前記円筒形状部分（ＺＡ）に対して相対的に移動しないように設けられていて、
・前記ブッシュ（Ｂ）と、前記ブッシュ（Ｂ）の方向を向く前記第２バネ部材（Ｆ２）の端部とは、前記中間位置（ＭＰ）から前記終端位置（ＥＰ）への移行時には、前記円筒形状部分（ＺＡ）に対して相対的に移動するが、前記静止位置（ＲＰ）から前記中間位置（ＭＰ）への移行時には、前記円筒形状部分（ＺＡ）に対して相対的に移動しないように設けられている、請求項３に記載の磁石アーマチャ。
【請求項５】
・前記静止位置（ＲＰ）から前記終端位置（ＥＰ）への移行の変位は、区間ｈ＝ｈ１＋ｈ２に相当し、前記区間は、１．５〜２．５ｍｍの長さであり、
・前記静止位置（ＲＰ）から前記中間位置（ＭＰ）への移行の変位はｈ１で表され、
・前記中間位置（ＭＰ）から前記終端位置（ＥＰ）への移行の変位はｈ２で表される、請求項１から４のいずれか１項に記載の磁石アーマチャ。
【請求項６】
前記静止位置（ＲＰ）から前記中間位置（ＭＰ）への移行の変位は、区間ｈ１に相当し、前記区間は、前記静止位置（ＲＰ）から前記終端位置（ＥＰ）への変位の前記区間ｈ＝ｈ１＋ｈ２の０．４倍〜０．６倍である、請求項１から５のいずれか１項に記載の磁石アーマチャ。
【請求項７】
３．３≦ｋ２／ｋ１≦３．６
である、請求項１から６のいずれか１項に記載の磁石アーマチャ。
【請求項８】
０．５Ｎ／ｍｍ≦ｋ１≦０．９Ｎ／ｍｍ、かつ、２．３Ｎ／ｍｍ≦ｋ２≦２．７Ｎ／ｍｍである、請求項１から７のいずれか１項に記載の磁石アーマチャ。
【請求項９】
・円筒形状部分（ＺＡ）を具備し、さらに、
・接触ピストン（ＫＳ）と磁化可能な材料（Ｍ）とを具備し、
・前記接触ピストン（ＫＳ）は、導電材料を含み、かつその終端位置（ＥＰ）で２つの電気接点（ＥＬ１、ＥＬ２）を接続するように設けられていて、
・前記磁化可能な材料（Ｍ）は、鉄、コバルトおよび／またはニッケルを含む、請求項１から８のいずれか１項に記載の磁石アーマチャ。
【請求項１０】
・前記円筒形状部分（ＺＡ）は、第１直径を有する第１の一部分（ＺＡ１）と、第２直径を有する第２の一部分（ＺＡ２）と、前記双方の一部分（ＺＡ１、ＺＡ２）間の段を有し、
・前記双方の一部分（ＺＡ１、ＺＡ２）の間の前記段は、第４ストッパ（Ａ４）であり、
・前記第４ストッパ（Ａ４）は、前記ブッシュ（Ｂ）用のストッパである、請求項１から９のいずれか１項に記載の磁石アーマチャ。
【請求項１１】
・前記ブッシュ（Ｂ）は、前記静止位置（ＲＰ）から前記中間位置（ＭＰ）への移行時には、前記第４ストッパ（Ａ４）に接触し、かつ、
・前記ブッシュ（Ｂ）は、前記中間位置（ＭＰ）から前記終端位置（ＥＰ）への移行時には、前記第４ストッパ（Ａ４）に接触しない、請求項１０に記載の磁石アーマチャ。
【請求項１２】
・前記ブッシュ（Ｂ）は、前記双方のバネ（Ｆ１、Ｆ２）を少なくとも１つの位置（ＲＰ、ＭＰ、ＥＰ）で減結合する、請求項１１に記載の磁石アーマチャ。
【請求項１３】
さらに、接触ピストン（ＫＳ）と、接触力を与えるために前記接触ピストンに配置される更なるバネ部材（ＦＴＡ）とを具備する、請求項１に記載の磁石アーマチャ。
【請求項１４】
前記更なるバネ部材（ＦＴＡ）は、前記接触ピストン（ＫＳ）と絶縁性材料（ＩＭ）との間に位置づけられ、前記絶縁性材料（ＩＭ）は、前記更なるバネ部材（ＦＴＡ）と前記第１バネ部材（Ｆ１）との間に位置づけられる、請求項１３に記載の磁石アーマチャ。
【請求項１５】
接触器（ＳＣＨ）であって、
・請求項１から１４のいずれか１項に記載の磁石アーマチャ（ＭＡ）であって、前記双方のバネ部材（Ｆ１、Ｆ２）の間にブッシュ（Ｂ）を備えた磁石アーマチャ（ＭＡ）と、
・くびき状部（Ｊ）と、
・機械的ストッパ（Ａ１）を備えたガイド部（ＦＵ）とを具備し、
・前記磁石アーマチャ（ＭＡ）と前記くびき状部（Ｊ）とは、電磁アクチュエータを形成し、前記電磁アクチュエータは、前記磁石アーマチャ（ＭＡ）を、前記くびき状部（Ｊ）に対して、および前記ガイド部（ＦＵ）に対して相対的に移動させるように設けられていて、
・前記静止位置（ＲＰ）と前記中間位置（ＭＰ）との間の位置では、前記ブッシュ（Ｂ）が前記機械的ストッパ（Ａ１）に接触せず、
・前記中間位置（ＭＰ）と前記終端位置（ＥＰ）との間の位置では、前記ブッシュ（Ｂ）が前記機械的ストッパ（Ａ１）に接触する、接触器（ＳＣＨ）。
【請求項１６】
・前記ガイド部（ＦＵ）は、第３ストッパ（Ａ３）を有し、
・前記第３ストッパ（Ａ３）は、前記磁石アーマチャ（ＭＡ）の移動の制限となり、
・前記磁石アーマチャ（ＭＡ）は、その静止位置（ＲＰ）で前記第３ストッパ（Ａ３）と接触する、請求項１５に記載の接触器。
【請求項１７】
電磁石と、接触ピストン（ＫＳ）と、第１バネ部材（Ｆ１）と、第２バネ部材（Ｆ２）とを備えた電磁接触器（ＳＣＨ）を切り替える方法であって、以下の工程、すなわち、
・静止位置（ＲＰ）にある前記電磁石を活性化させる工程と、
・前記接触ピストン（ＫＳ）を、前記第１バネ部材（Ｆ１）の復元力に抗して、中間位置（ＭＰ）まで加速させる工程と、
・前記接触ピストン（ＫＳ）を、前記第２バネ部材（Ｆ２）の復元力に抗して、終端位置（ＥＰ）まで移動させる工程とを含む、方法。
【発明の詳細な説明】
【技術分野】
【０００１】
本発明は、磁石アーマチャ、例えば電磁接触器用の磁石アーマチャ、磁石アーマチャを備えた接触器、および、接触器を切り替える方法に関する。
【背景技術】
【０００２】
電磁的に作動可能な接触器で、一般に、磁石アーマチャは、接触ピストンを変位させることにより２つの電極を導電接続可能にする可動部分となる。接触器は、大電流および／または高電圧を、必要な場合には保護気体雰囲気中で切り替えるために用いられる。スイッチを直接開閉する過程およびその際に生じるアークは、切り替えられるべき電力が大きい場合には、とりわけ電極および接触ピストンの材料にとって大きな負荷となる。切り替え過程数が増すに従って、これらの電気接点が接着してしまう危険性が高まる。
【０００３】
閉じ時間を低減させるためのいわゆるブースタ回路を備えた接触器が公知である。この際、引き付け力を高めるために、電磁石には、オンの際に短時間、すなわち数ミリ秒間、過電圧がかけられる。
【０００４】
したがって、電極材料にとって負荷を減らした切り替え過程が望まれ、とりわけ接点の接着の危険性が低減された切り替え過程が望まれる。
【発明の概要】
【課題を解決するための手段】
【０００５】
ここで記載した磁石アーマチャ、とりわけ独立請求項１に記載の磁石アーマチャでは、このような切り替え過程が可能になる。これ以外の請求項は、アーマチャの有利な構成を示す。
【０００６】
磁石アーマチャは、第１バネ剛性ｋ１を有する第１バネ部材と、第２剛性ｋ２を有する第２バネ部材と、静止位置と、終端位置と、静止位置と終端位置との間にある中間位置とを具備する。第１バネ部材は、静止位置から中間位置への移行時の切り替え過程の間には弾性変形するが、中間位置から終端位置への移行時には弾性変形しないように設けられている。第２バネ部材は、中間位置から終端位置への移行時には弾性変形するが、静止位置から中間位置への移行時には弾性変形しないように設けられている。
【０００７】
静止位置、中間位置および終端位置は、この際、例えば電磁スイッチ内での磁石アーマチャのその周囲に対する相対的な位置となる。中間位置は、必ずしも、静止位置と終端位置とから等しい距離がとられているには及ばない。この際、静止位置とは、磁力が磁石アーマチャにかけられていない際に磁石アーマチャがある位置を示す。終端位置とは、スイッチを閉じるために設けられた磁力が磁石アーマチャに作用し、閉じられるべき電気接点が持続的に閉じられている際の平衡位置を示す。
【０００８】
第１バネ部材の第１剛性ｋ１と、第２バネ部材の第２剛性ｋ２とは、様々でありえる。磁石アーマチャが、静止位置から中間位置へ移動する際に、第１バネ部材の復元力に抗して移動し、かつ、中間位置から終端位置へ移行する際に、第２の部材のバネ力に抗して移動することにより、切り替え時間の低減が達成可能になる。とりわけ第１バネ部材のバネ剛性ｋ１が、第２バネ部材のバネ剛性ｋ２よりも小さい場合に、磁石アーマチャは、引き付け時により小さい抵抗力に抗して動き、その結果、より大きい加速、したがって切り換え時間の短縮が達成される。
【０００９】
磁石アーマチャがその終端位置にある場合には、磁石アーマチャへの磁力がなくなると（すなわち、スイッチが開くと）、実質的に第２バネ部材の復元力により、迅速な開き動作がなされる。
【００１０】
したがって、開閉時の抵抗力が単純な線形ではない磁石アーマチャが示される。むしろ、これにかけられる抵抗力が、バネ剛性が異なることによって順次上昇しうる磁石アーマチャが示される。
【００１１】
第１バネ部材と第２バネ部材とは直列で配置されていることが可能である。直列に配置されたバネ部材では、組み合わされた２つのバネのバネ剛性が結果として生じ、その逆数は、個々のバネ剛性の逆数の合計に相当するとの結果になる。２つの直列に配置されたバネ部材は、したがって、対応する代替的な剛性を備えた個々のバネ部材のように挙動する。一方では、静止位置から中間位置への移動段階時の、および、中間位置から終端位置への移動時の第２の段階時の活性時に、磁石アーマチャが異なるバネ剛性を知覚するように、追加的な技術的な措置、例えば以下で述べるような機械的ストッパおよび／または個々のバネ部材をバネ付勢することおよび／または摺動可能なブッシュの設置が必須である。
【００１２】
したがって、磁石アーマチャが、追加的にブッシュを具備し、これが、第１バネ部材と第２バネ部材との間に配置されていることが可能である。この場合、このブッシュは、このブッシュの方向を向いた第１バネ部材の端部およびこのブッシュの方向を向いた第２バネ部材の端部と接触可能である。
【００１３】
磁石アーマチャは、さらに円筒形状部分を具備することが可能である。第１バネ部材と、ブッシュと、第２バネ部材とが、この円筒形状部分（または、必要な場合、異なる半径を備えたそれぞれ独自の円筒形状部分）を同軸で取り囲む。ブッシュの方向を向く第１バネ部材の端部は、静止位置から中間位置への移行時には、円筒形状部分に対して相対的に移動するが、中間位置から終端位置への移行時には、円筒形状部分に対して相対的に移動しないように設けられている。ブッシュと、ブッシュの方向を向く第２バネ部材の端部とは、中間位置から終端位置への移行時には、円筒形状部分に対して相対的に移動するが、静止位置から中間位置への移行時には、円筒形状部分に対して相対的に移動しないように設けられている。
【００１４】
静止位置から終端位置への移行の変位は、区間ｈ＝ｈ１＋ｈ２に相当し、この際ｈの長さが、１．５ｍｍ〜２．５ｍｍでありうる。
【００１５】
静止位置から終端位置への区間ｈは、この際、接触器の２つの電極を接触ピストンと接触させるために、磁石アーマチャが活性化された際に進む全行程である。
【００１６】
この行程ｈは、例えば２ｍｍでありえる。
磁石アーマチャの静止位置からその中間位置への移行の変位は、区間ｈ１に相当し、この区間は、全行程ｈ＝ｈ１＋ｈ２の０．４倍〜０．６倍の間隔であることが可能である。
【００１７】
換言すれば、中間位置は、全行程ｈの４０％〜６０％の間隔でありえる。
静止位置から中間位置への区間ｈ１と中間位置から終端位置への区間ｈ２との部分行程は等しくてもよく、ｈ１＝ｈ２＝ｈ／２でありうる。
【００１８】
双方のバネ部材のうちの１つのバネ剛性は、他方のバネ剛性のそれぞれ約３．３〜３．６倍であることが可能である。この際、第２バネ部材は、より大きなバネ剛性を有しえ、３．３≦ｋ２／ｋ１≦３．６でありえる。
【００１９】
具体的には、第１バネ部材のバネ剛性が、０．５Ｎ／ｍｍ〜０．９Ｎ／ｍｍであることが可能である。第２バネ部材のバネ剛性が、２．３Ｎ／ｍｍ〜２．７Ｎ／ｍｍであることが可能である。
【００２０】
磁石アーマチャが、少なくとも１つの円筒形状部分以外に、さらに、接触ピストンおよび／または磁化可能な材料を具備することが可能である。この接触ピストンは、アーマチャの領域の一端で、１つまたは複数の円筒形状部分を備えて配置されている。任意選択可能な磁化可能な材料は、対向する端部に配置可能である。接触ピストンは、導電材料を含み、かつ磁石アーマチャの終端位置で２つの電気接点を接続するように設けられていて、磁化可能な材料は、鉄、コバルトおよび／もしくはニッケルを含む、または鉄、コバルトもしくはニッケルからなることが可能である。磁化可能な材料を介して、磁石アーマチャは磁気的に周囲（例えば、くびき状部中にある隣接する磁石コイル）と相互作用し、これにより、とりわけ３つの位置間での変位、すなわち、接触ピストンを用いた切り替えが可能になる。
【００２１】
円筒形状部分は、第１の一部分と、第２の一部分とを具備することが可能である。第１の一部分は第１直径を有しえ、第２の一部分は第２直径を有しうる。双方の一部分間には、円筒形状部分が段を有し、したがって直径が段を有しうる。この双方の一部分間の段は、とりわけブッシュ用の第４ストッパとなりうる。
【００２２】
ブッシュは、静止位置から中間位置（ＭＰ）への移行時には、第４ストッパに接触するが、中間位置から終端位置への移行時には、第４ストッパに接触しないことが可能である。
【００２３】
これにより、ブッシュは、双方のバネを少なくとも１つの位置で例えば静止位置で、または、中間位置から静止位置に移行する際に減結合することが可能になり、これにより、これに対応して構成された接触器の切り替え挙動が改良される。
【００２４】
接触器は、双方のバネ部材間にあるブッシュを備えた上述のような磁石アーマチャと、コイルが統合されたくびき状部と、第１機械的ストッパを備えたガイド部とを具備しうる。磁石アーマチャとくびき状部とは電磁アクチュエータを形成し、この電磁アクチュエータは、磁石アーマチャを、くびき状部に対しておよびガイド部に対して相対的に移動するように設けられている。静止位置と中間位置との間の位置では、ブッシュが第１機械的ストッパに接触しない。中間位置と終端位置との間の位置では、ブッシュが第１機械的ストッパに接触する。
【００２５】
したがって、中間位置は、閉じる間にブッシュがこのストッパが接触し始める位置として定義される。静止位置から中間位置までは、実質的に第１バネ部材が閉じる力に対抗する。磁石アーマチャがその静止位置から中間位置まで動くと、実質的に第１バネ部材が圧縮される。第２バネ部材は、この際予負荷で付勢されていることができ、これは、中間位置で第１バネ部材にかけられる応力より大きい。これにより、第２バネ部材は静止位置から中間位置への移行時には圧縮されない。
【００２６】
ブッシュがこの機械的ストッパに当たると、第１バネ部材への応力がこれ以上高まることができないが、この理由は、力がブッシュおよびこの機械的ストッパを介してガイド部に出力されるからである。この結果、中間位置から終端位置へのさらなる移動は、第２バネ部材を圧縮することにより可能になる。
【００２７】
接触器がくびき状部中に１つまたは複数のコイルを具備し、これらが、磁場を生成し、アーマチャの磁化可能な材料と共に電磁石を形成することが可能である。
【００２８】
接触器は、さらに中空空間を具備することができ、この中で接触ピストンが、磁石アーマチャおよび互いに間隔をとった２つの電極に接して配置されている。この中空空間は、気体例えば希ガスで充填されていることができる。電極と接触ピストンとの間の間隔は、好ましくは磁石アーマチャの全行程ｈの長さよりも短い。
【００２９】
磁石アーマチャは、これに加えてさらなるバネ部材を有しうるが、これは、電極と接触ピストンとの間の製造許容誤差を補償することができ、かつ独自の接触力を生成する。この点は、高電力で切り替え過程が繰り返されることにより、電極または接触ピストンの材料が剥離される場合にとりわけ重要である。
【００３０】
この種の接触器の電磁石は、１２Ｖ、２４Ｖ、４８Ｖの作動電圧またはこれ以外の利用可能であるすべての電圧により作動可能でありうる。
【００３１】
接触器は、中空空間、例えば不活性ガスを充填した中空空間を有することができ、この中に、切り替えられるべき接点が存在する。気体で充填された中空空間を備えた接触器は、通常ＧＦＣ（Ｇａｓ  Ｆｉｌｌｅｄ  Ｃｏｎｔａｃｔｏｒ、ガス充填接触器）とも称される。この種の接触器は、とりわけ高電圧を切り替えるのに適切であるので、ＨＶＣ（ＨＶＣ＝Ｈｉｇｈ  Ｖｏｌｔａｇｅ  Ｃｏｎｔａｃｔｏｒ、高電圧接触器）としても公知である。
【００３２】
非線形の対抗力により高められた寿命は、中空空間中にガスを充填することによりさらに高められうる。
【００３３】
接触器は、第３ストッパを備えたガイド部を有することが可能である。第３ストッパは、磁石アーマチャの移動の制限となりえる。この磁石アーマチャは、その静止位置で第３ストッパと接触することができる。
【００３４】
この際、第３ストッパは、とりわけ静止位置における第１バネの力を受け止める。これにより、第３ストッパの位置が、静止位置におけるガイド部に対する磁石アーマチャの相対的な位置、すなわち規定された静止位置を決める。
【００３５】
規定された値ｈ１を、バネ定数の割合には依存せずに実現するために、かつ、バネ力を減結合するために、円筒状部分が第４機械的ストッパを有するべきであるが、これは、上述のように円筒状部分における２つの異なる直径と、これに応じた段とにより実現されうる。これにより、例えばより硬い第２バネ部材を、例えばより柔らかい第１バネ部材には依存しないサイズとすることができ、かつ、ブッシュと第４機械的ストッパとを介して規定の予負荷で組み入れることができる。
【００３６】
バネ定数の割合は制限されていない。この数値（例えば、より硬いバネのバネ剛性は０．５Ｎ／ｍｍであり、より柔らかいバネのバネ剛性は３Ｎ／ｍｍである）は、なかんずく構築サイズに依存していて、これらの数値は、一例として理解されるべきである。
【００３７】
双方のバネ部材を直列接続することは可能ではあるが、必須ではない。機械的ストッパ、とりわけ第１および第４ストッパは、バネを減結合しうる。
【００３８】
電磁石と、接触ピストンと、第１バネ部材とを有する電磁接触器を切り替える方法は、以下の工程、すなわち、
・静止位置にある電磁石を活性化させる工程と、
・接触ピストンを、第１バネ部材の復元力に抗して、中間位置まで加速させる工程と、
・接触ピストンを、第２バネ部材の復元力に抗して、終端位置まで移動させる工程と
を含む。
【００３９】
電磁石と、接触ピストンと、第１バネ部材と、第２バネ部材とを有する電磁接触器を切り替える方法は、以下の工程、すなわち、
・静止位置にある電磁石を活性化させる工程と、
・接触ピストンを、第１バネ部材の復元力に抗して、中間位置まで加速させる工程と、
・接触ピストンを、第２バネ部材の復元力に抗して、終端位置まで移動させる工程と
を含む。
【００４０】
以下に、概略的な図を用いて、機能原理および例示的な実施形態を示し、より詳細に説明する。
【図面の簡単な説明】
【００４１】
【図１】磁石アーマチャＭＡのある単純な実施形態において磁石アーマチャＭＡがその静止位置にある状態を示す断面図である。
【図２】ある単純な実施形態において磁石アーマチャＭＡがその中間位置にある状態を示す断面図である。
【図３】接触器のある単純な実施形態において磁石アーマチャＭＡがその終端位置にある状態を示す断面図である。
【図４】許容誤差を補償するためのバネ部材と接触ピストンとを備えた磁石アーマチャのある実施形態の断面図である。
【図５】気体が充填された中空空間中に、磁石アーマチャと、接触ピストンと、第１電極と、第２電極とを備えた接触器の断面図で、図５および／または図６の例に対応した図である。
【図６】第３ストッパＡ３と第４ストッパＡ４とを備えた磁石アーマチャＭＡのある実施形態の断面図である。
【図７】図６の実施形態が中間位置にある状態を示す断面図である。
【図８】図６の実施形態が終端位置にある状態を示す断面図である。
【発明を実施するための形態】
【００４２】
図１は、磁石アーマチャＭＡのある単純な実施形態で、磁石アーマチャＭＡがその静止位置ＲＰにある際の断面図である。磁石アーマチャＭＡは、第１バネ部材Ｆ１と第２バネ部材Ｆ２とを有する。双方のバネ部材Ｆ１、Ｆ２は、磁石アーマチャの静止位置からその終端位置への移行時の復元力を決める。とりわけ第１バネ部材Ｆ１は、静止位置から中間位置への移行時の復元力を決める。中間位置から終端位置への移行時の復元力は、第２バネ部材Ｆ２のバネ剛性により決められる。この際、ｈ１は、静止位置から中間位置への移行時に進む区間の長さである。この際、ｈ＝ｈ１＋ｈ２は、静止位置から終端位置への移行時に進む区間の長さである。
【００４３】
図１は、磁石アーマチャＭＡに加えてガイド部ＦＵを示すが、これは、位置間の移行時に、アーマチャの移動を軸に沿った変位に制限するための物である。ガイド部ＦＵは、したがって、第１ストッパＡ１を備えたガイド部レールとなる。第１バネ部材Ｆ１と第２バネ部材Ｆ２との間には、ブッシュＢが配置されている。この磁石アーマチャＭＡは、円筒形状部分ＺＡを有する。第１バネ部材Ｆ１、第２バネ部材Ｆ２およびブッシュＢは、円筒形状部分ＺＡの周りに同軸で配置されている。円筒形状部分ＺＡの一端には、接触ピストンＫＳが配置されている。円筒形状部分ＺＡの他端には、磁化可能な材料Ｍが配置されている。横たわるように図示された磁石アーマチャＭＡがガイド部ＦＵに対して相対的に左方向に動くと、実質的により小さいバネ剛性を有するバネ部材、この場合は第１バネ部材Ｆ１が、圧縮される。第２バネ部材Ｆ２が明らかにより高いバネ剛性を有すると、または第２バネ部材Ｆ２が、第１バネ部材Ｆ１が中間位置にあるときの応力より大きな予負荷下にあると、第２バネ部材Ｆ２は、静止位置ＲＰから中間位置ＭＰへの移行時に圧縮されないまたは実質的には圧縮されない。静止位置ＲＰから中間位置ＭＰへの移行時には、ブッシュＢが第１ストッパＡ１に当たるまでに、ブッシュＢが区間ｈ１だけ動く。この移動段階時には、磁石アーマチャＭＡに作用する復元力は、実質的に第１バネ部材Ｆ１のバネ剛性によって、またはこれのみにより与えられる。
【００４４】
図２は、磁石アーマチャがその中間位置ＭＰにある状態を示す図である。この際、ブッシュＢは、第１ストッパＡ１に接触する。磁石アーマチャがさらにガイド部ＦＵに対して相対的に左方向に移動すると、ブッシュＢが第１ストッパＡ１で支えられ、その結果、第１バネ部材Ｆ１は、これ以上圧縮されえない。さらなる移動時には、必然的に第２バネ部材Ｆ２が圧縮される。
【００４５】
これに対応して、図３は、磁石アーマチャがその終端位置ＥＰにある状態を示す。この際、第２バネ部材Ｆ２は、磁石アーマチャがその終端位置に到達するまで圧縮されるが、この終端位置は、例えば第２機械的ストッパＡ２により予め決められうる。
【００４６】
ここで、磁石アーマチャは、接触ピストンが２つの電極と接触することにより、磁石アーマチャに関連する電気スイッチが閉じられた位置にある。
【００４７】
閉じる際には、閉じ時間を短くすることが達成できるが、この理由は、とりわけ非常に重要な初期段階において、電磁石が第１バネ部材Ｆ１の弱い復元力のみに抗して働かねばならず、これにより迅速に加速することができるからである。電気スイッチを迅速に開くのは、電磁石の不活性化時に、第２バネ部材Ｆ２のより強い第２復元力が直接作用することにより達成される。
【００４８】
したがって、全体として、迅速に閉じかつ迅速に開くことが可能で、とりわけ生じるアークの燃焼期間を短くし、接点の接着の危険性を低減した磁石アーマチャが示される。
【００４９】
図４は、磁石アーマチャＭＡのある実施形態を示すが、この場合も同様に第１のバネ剛性ｋ１を有する第１バネ部材と第２のバネ剛性ｋ２を有する第２バネ部材との間に摺動可能なブッシュＢが配置されている。磁石アーマチャＭＡの後端は、接触ピストンＫＳの方向で、接触ピストンの円筒形状部分の周りで同軸に配置されている円錐形状の隆起部分を有する。これに対応するガイド部は、これに応じて形成された、アーマチャの端部の方向に向かう円錐形状の凹部を有する。したがって、スイッチを閉じる際には、自身で中心合わせをしたガイド部が得られる。接触ピストンＫＳとアーマチャＭＡの残りの部分との間にはさらなるバネ部材ＦＴＡが配置されていて、これが高さの許容誤差を補償することができ、実際の接触力を作り出す。さらなるバネ部材ＦＴＡとアーマチャの残りの部分との間には、絶縁性の材料ＩＭからなる部分が配置されていて、これにより、接触ピストンＫＳを介して切り替えられうる電気接点と磁石アーマチャとが、電気的に絶縁される。
【００５０】
図５は、接触器ＳＣＨのある可能な実施形態で、この接触器がその静止位置ＲＰにある状態での断面図である。磁化可能な材料Ｍを備えた磁石アーマチャに加えて、接触器ＳＣＨは、くびき状部Ｊを有し、この中に、コイルＳＰの電気巻線が配置されている。図５は、追加的に中空空間ＨＲを示し、この中で、第１電極と第２電極との端部が、接触ピストンＫＳに相対している。磁石アーマチャは、まず第１バネ部材の抵抗力に対抗し、続いて第２バネ部材のより強い抵抗力に対抗して動き、このようにして、接触ピストンＫＳは双方の電極ＥＬ１、ＥＬ２の端部を押圧し、これにより双方の電極ＥＬ１、ＥＬ２は互いに接続される。とりわけ、接点が開く際に、可能な限り迅速にアークを消し、電極および接触ピストンＫＳの材料を保護するために、中空空間ＨＲ中には、気体例えば希ガスが含有されている。
【００５１】
図６は、第４ストッパＡ４を備えた磁石アーマチャＭＡの実施形態と第３ストッパＡ３を備えた接触器ＳＣＨの実施形態とが、それぞれ静止位置ＲＰにある状態を示す図である。静止位置ＲＰにあるアーマチャＭＡとガイド部ＦＵとの位置は第３ストッパＡ３により決められる。
【００５２】
図７は、第４ストッパＡ４を備えた磁石アーマチャＭＡの実施形態と第３ストッパＡ３を備えた接触器ＳＣＨの実施形態とが中間位置ＭＰにある状態を示す図である。この位置は、移動の経過において第２バネ部材Ｆ２が活性状態になる瞬間を示している。
【００５３】
図８は、第４ストッパＡ４を備えた磁石アーマチャＭＡの実施形態と第３ストッパＡ３を備えた接触器ＳＣＨの実施形態とが終端位置ＥＰにある状態を示す図である。終端位置ＥＰにあるアーマチャＭＡとガイド部ＦＵとの位置は第２ストッパＡ２により決められる。
【００５４】
図６、７および８からは、以下が明らかになる。すなわち、ｈ１の規定の値を、バネ定数の割合には依存せずに実現するために、かつ、バネ力を減結合するために、円筒状部分ＺＡは、第４機械的ストッパＡ４を、直径の段の形態で有する。これにより、第２バネ部材Ｆ２と第１バネ部材Ｆ１とは、活性化時に接触器ＳＣＨの中間位置に至るまでの段階で減結合される。とりわけ第１機械的ストッパＡ１と、第４機械的ストッパＡ４とが、バネＦ１、Ｆ２を減結合する。
【００５５】
磁石アーマチャが複雑な構造を有するにも拘わらず、電気性能が改良された接触器が示され、この接触器は、通常の幾何学的な寸法を維持することができ、したがって既存の外側回路環境中に統合可能である。
【００５６】
磁石アーマチャも接触器も接触器を切り替える方法も、図示した実施形態に限定されない。追加的なストッパを備えた磁石アーマチャ、とりわけ第２バネ部材を付勢する装置、および、接触器の電極の負荷を下げるさらなる方策は、本発明の対象物を示す。
【符号の説明】
【００５７】
Ａ１  第１機械的ストッパ
Ａ２  第２機械的ストッパ
Ａ３  第３機械的ストッパ
Ａ４  第４機械的ストッパ
Ｂ  ブッシュ
ＥＬ１  第１電極
ＥＬ２  第２電極
ＥＰ  終端位置
Ｆ１  第１バネ部材
Ｆ２  第２バネ部材
ＦＴＡ  許容誤差補償用のバネ部材
ＦＵ  ガイド部
ｈ  静止位置から終端位置への移行の長さ区間
ｈ１  静止位置から中間位置への移行の区間
ｈ２  中間位置から終端位置への移行の区間の長さ
ＨＲ  中空空間
ＩＭ  絶縁性の材料
Ｊ  くびき状部
ＫＳ  接触ピストン
Ｍ  磁化可能な材料
ＭＡ  磁石アーマチャ
ＭＰ  中間位置
ＲＰ  静止位置
ＳＣＨ  接触器
ＺＡ  円筒形状部分
ＺＡ１  第１の一部分
ＺＡ２  第２の一部分
【図１】
0006643456.tif 000002
【図２】
0006643456.tif 000003
【図３】
0006643456.tif 000004
【図４】
0006643456.tif 000005
【図５】
0006643456.tif 000006
【図６】
0006643456.tif 000007
【図７】
0006643456.tif 000008
【図８】
0006643456.tif 000009